(57)【要約】【課題】臀部側の吸収量を増加させ、かつ臀部側からの後漏れを防止する。【解決手段】後部両側部にそれぞれ外方に延出する後部フラップＷＢを有し、着用者の体液排出部Ｈを含む領域に配設された本体吸収体１０と、前記後部フラップＷＢに配設されたフラップ吸収体１１とを備えた生理用ナプキン１である。前記本体吸収体１０とフラップ吸収体１１とが連続する一体の吸収体４によって構成され、前記フラップ吸収体１１の肌側にサイド不織布７が配設されるとともに、前記サイド不織布７には前記フラップ吸収体１１と重なる領域に表裏を貫通する多数の開孔１３が設けられ、前記フラップ吸収体１１と本体吸収体１０とに跨る領域の肌側面に、非肌側に窪ませた圧搾溝１２が、前記フラップ吸収体１１から前記本体吸収体１０に向けて後方に傾斜する方向に延びるとともに、生理用ナプキン１の長手方向に間隔を空けて複数形成されている。【選択図】図１
2019118406.tif 000002
【特許請求の範囲】
【請求項１】
後部両側部にそれぞれ外方に延出する後部フラップを有し、着用者の体液排出部を含む領域に配設された本体吸収体と、前記後部フラップに配設されたフラップ吸収体とを備えた吸収性物品であって、
前記本体吸収体とフラップ吸収体とが連続する一体の吸収体によって構成され、前記フラップ吸収体の肌側にシート材が配設されるとともに、前記シート材には前記フラップ吸収体と重なる領域に表裏を貫通する多数の開孔が設けられ、前記フラップ吸収体と本体吸収体とに跨る領域の肌側面に、非肌側に窪ませた圧搾溝が、前記フラップ吸収体から前記本体吸収体に向けて後方に傾斜する方向に延びるとともに、吸収性物品の長手方向に間隔を空けて複数形成されていることを特徴とする吸収性物品。
【請求項２】
前記圧搾溝は、前記フラップ吸収体から前記本体吸収体に向けた方向に対して連続的又は間欠的に延びている請求項１記載の吸収性物品。
【請求項３】
前記圧搾溝は、前記フラップ吸収体から前記本体吸収体に向けて徐々に溝幅が小さくなる平面形状で形成されている請求項１、２いずれかに記載の吸収性物品。
【請求項４】
前記圧搾溝は、前記フラップ吸収体から前記本体吸収体に向けて徐々に溝深さが深くなるように形成されている請求項１〜３いずれかに記載の吸収性物品。
【請求項５】
前記開孔の平面形状は、円形からなるか、前記フラップ吸収体から前記本体吸収体に向けて後方に傾斜する方向に長い略楕円形からなる請求項１〜４いずれかに記載の吸収性物品。
【請求項６】
前記開孔の平面形状が、前記フラップ吸収体から前記本体吸収体に向けた方向に長い略楕円形からなり、前記開孔の長軸方向と前記圧搾溝の延びる方向とがほぼ一致している請求項１〜５いずれかに記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは後部両側部にそれぞれ外方に延出する後部フラップを有し、この後部フラップにフラップ吸収体が配設された吸収性物品に関する。
【背景技術】
【０００２】
従来より、上記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在するとともに、肌側の両側部にそれぞれ肌側に向けて突出する左右一対の立体ギャザーを形成するギャザー不織布が長手方向に沿って配設されたものが知られている。
【０００３】
就寝時などにおける使用に適した夜用の生理用ナプキンでは、下着に対する固定をより確実に図るとともに、臀部側からの後漏れを効果的に防止するため、ナプキンの長手方向中間両側部に設けた下着のクロッチ部分を折り返して使用するウイング状フラップの他に、着用者の臀部を覆うため、後部両側部にもそれぞれ外方に延出する後部フラップを設けたものが存在する。
【０００４】
このような後部フラップを有する吸収性物品において、前記後部フラップにも吸収体を配置し、体液を吸収できるようにしたものが開発されている（例えば、下記特許文献１、２参照）。
【０００５】
また、下記特許文献２においては、後部フラップに配置された吸収体の肌側を覆うシート材に、開孔又はスリットが設けられて通液可能になされた吸収性物品が開示されている。
【先行技術文献】
【特許文献】
【０００６】
【特許文献１】特開２０１７−１１９０２０号公報
【特許文献２】特開２００６−３４４９５号公報
【発明の概要】
【発明が解決しようとする課題】
【０００７】
上記特許文献１、２に記載された吸収性物品では、後部フラップにフラップ吸収体が配設されているため、このフラップ吸収体に体液が吸収できるようになるが、フラップ吸収体が本体部の吸収体とは別体の吸収体として設けられているため、大量の体液がフラップ吸収体に吸収された場合、フラップ吸収体が容量オーバーとなって体液があふれ、漏れが生じるおそれがあった。
【０００８】
また、フラップ吸収体が装着時における体圧などによる圧力を受けると、フラップ吸収体に吸収された体液が表面に逆戻りしたり、漏れが生じたりするおそれがあった。
【０００９】
そこで本発明の主たる課題は、臀部側の吸収量を増加させ、かつ臀部側からの後漏れを防止した吸収性物品を提供することにある。
【課題を解決するための手段】
【００１０】
上記課題を解決するために請求項１に係る本発明として、後部両側部にそれぞれ外方に延出する後部フラップを有し、着用者の体液排出部を含む領域に配設された本体吸収体と、前記後部フラップに配設されたフラップ吸収体とを備えた吸収性物品であって、
前記本体吸収体とフラップ吸収体とが連続する一体の吸収体によって構成され、前記フラップ吸収体の肌側にシート材が配設されるとともに、前記シート材には前記フラップ吸収体と重なる領域に表裏を貫通する多数の開孔が設けられ、前記フラップ吸収体と本体吸収体とに跨る領域の肌側面に、非肌側に窪ませた圧搾溝が、前記フラップ吸収体から前記本体吸収体に向けて後方に傾斜する方向に延びるとともに、吸収性物品の長手方向に間隔を空けて複数形成されていることを特徴とする吸収性物品が提供される。
【００１１】
上記請求項１記載の発明は、後部両側部にそれぞれ外方に延出する後部フラップを有する、いわゆる夜用の生理用ナプキンなどの使用に適した吸収性物品であって、吸収体として、着用者の体液排出部を含む領域に配設された本体吸収体と、前記後部フラップに配設されたフラップ吸収体とを備えている。
【００１２】
本発明に係る吸収性物品では、前記本体吸収体とフラップ吸収体とが連続する一体の吸収体によって構成されているため、フラップ吸収体に吸収された体液が本体吸収体に移行しやすく、フラップ吸収体に吸収可能な体液の総量が増加でき、臀部側の吸収量が増加できる。
【００１３】
一方、通常の夜用生理用ナプキンでは、肌面に対する密着性を高め、横漏れを防止するため、肌側の両側部にそれぞれ肌側に向けて突出する左右一対の立体ギャザーを形成するシート材（サイド不織布）が長手方向に沿って配設されているが、本発明に係る吸収性物品では、このシート材の前記フラップ吸収体と重なる領域に表裏を貫通する多数の開孔が設けられているため、前記立体ギャザーを越えて外側に流れた体液が、前記開孔を通ってフラップ吸収体に吸収でき、臀部側からの後漏れが防止できる。
【００１４】
また、本発明に係る吸収性物品では、前記フラップ吸収体と本体吸収体とに跨る領域の肌側面に、非肌側に窪ませた圧搾溝が、所定の方向に延びるとともに、吸収性物品の長手方向に間隔を空けて複数形成されているため、前記開孔を通過した体液が前記圧搾溝に沿ってフラップ吸収体から本体吸収体に向けて液移行しやすくなり、フラップ吸収体に体液が溜まりにくく、臀部側の吸収量が増加できるとともに、臀部側からの後漏れが防止できるようになる。
【００１５】
更に、前記圧搾溝が、前記フラップ吸収体から前記本体吸収体に向けて後方に傾斜して形成されているため、前記圧搾溝に沿って移行する体液を、本体吸収体の後方領域に液移行できるようになる。この後方領域は、体液排出部及びその近傍で吸収された体液が吸収体の内部を拡散する範囲の影響を受けにくいため、体液が移行しやすいとともに、本体吸収体の広い範囲を体液吸収用として活用できるようになる。
【００１６】
請求項２に係る本発明として、前記圧搾溝は、前記フラップ吸収体から前記本体吸収体に向けた方向に対して連続的又は間欠的に延びている請求項１記載の吸収性物品が提供される。
【００１７】
上記請求項２記載の発明では、フラップ吸収体から本体吸収体に向けて液移行しやすくする観点から前記圧搾溝を連続的に形成してもよいし、装着時に吸収性物品の後部を臀部の形状に沿ってフィットしやすくする観点から前記圧搾溝を間欠的に形成してもよい。
【００１８】
請求項３に係る本発明として、前記圧搾溝は、前記フラップ吸収体から前記本体吸収体に向けて徐々に溝幅が小さくなる平面形状で形成されている請求項１、２いずれかに記載の吸収性物品が提供される。
【００１９】
上記請求項３記載の発明では、前記圧搾溝を、前記フラップ吸収体から前記本体吸収体に向けて徐々に溝幅が小さくなる平面形状で形成することにより、フラップ吸収体において前記開孔を通過した体液が圧搾溝の溝内に流入する機会が増え、圧搾溝の表面を流れて本体吸収体に液移行しやすくなるとともに、圧搾溝の表面を流れる体液が、本体吸収体に向かうに従って、側壁に接触しやすくなるため、圧搾溝の側壁から吸収体に効率よく吸収できるようになる。
【００２０】
請求項４に係る本発明として、前記圧搾溝は、前記フラップ吸収体から前記本体吸収体に向けて徐々に溝深さが深くなるように形成されている請求項１〜３いずれかに記載の吸収性物品が提供される。
【００２１】
上記請求項４記載の発明では、前記圧搾溝を、前記フラップ吸収体から前記本体吸収体に向けて徐々に溝深さが深くなるように形成することにより、前記フラップ吸収体から前記本体吸収体に向けて吸収体の密度が徐々に高くなる密度勾配が設けられるため、毛管作用によってフラップ吸収体から本体吸収体に向けて液移行しやすくなる。
【００２２】
請求項５に係る本発明として、前記開孔の平面形状は、円形からなるか、前記フラップ吸収体から前記本体吸収体に向けて後方に傾斜する方向に長い略楕円形からなる請求項１〜４いずれかに記載の吸収性物品が提供される。
【００２３】
上記請求項５記載の発明では、前記開孔の平面形状として、円形又は楕円形としている。略楕円形とした場合には、体液が開孔を通過する際に楕円形の長軸方向に沿って拡散しやすいため、楕円形の長軸方向をフラップ吸収体から本体吸収体に向けて後方に傾斜する方向とするのが望ましい。
【００２４】
請求項６に係る本発明として、前記開孔の平面形状が、前記フラップ吸収体から前記本体吸収体に向けた方向に長い略楕円形からなり、前記開孔の長軸方向と前記圧搾溝の延びる方向とがほぼ一致している請求項１〜５いずれかに記載の吸収性物品が提供される。
【００２５】
上記請求項６記載の発明では、前記開孔の平面形状を楕円形とした場合において、この楕円形の長軸方向と圧搾溝の延びる方向とをほぼ一致させることにより、体液が開孔を通過する際に楕円形の長軸方向に沿った体液の流れと、圧搾溝に沿った体液の流れとがほぼ一致するため、圧搾溝に沿って本体吸収体に向けた体液の流れがより一層生じやすくなる。
【発明の効果】
【００２６】
以上詳説のとおり本発明によれば、臀部側の吸収量を増加させ、かつ臀部側からの後漏れが防止できるようになる。
【図面の簡単な説明】
【００２７】
【図１】本発明に係る生理用ナプキン１の一部破断展開図である。
【図２】図１のII−II線矢視図である。
【図３】図１のIII−III線矢視図である。
【図４】体液の移行状態を示す、生理用ナプキン１の後部の平面図である。
【図５】体液の移行状態を示す、生理用ナプキン１の後部の断面図である。
【図６】圧搾溝１２を間欠的とした場合の平面パターンである。
【図７】変形例に係る生理用ナプキン１の後部の平面図である。
【図８】変形例に係る生理用ナプキン１の断面図（図１のVIII−VIII線矢視図）である。
【図９】変形例に係る生理用ナプキン１の後部の平面図である。
【発明を実施するための形態】
【００２８】
以下、本発明の実施の形態について図面を参照しながら詳述する。
【００２９】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、前記吸収体４の略側縁部を起立基端とし、かつ少なくとも体液排出部Ｈを含むナプキン長手方向の所定の区間内において肌側に突出して設けられた左右一対の立体ギャザーＢＳ、ＢＳを形成する、肌当接面側の両側部に長手方向のほぼ全長に亘って設けられたサイド不織布７、７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合され、ほぼ体液排出部Ｈに相当する吸収体側部位置に左右一対のウイング状フラップＷ、Ｗが形成されるとともに、これより後部側（臀部側）の後部両側部にそれぞれ外方に延出する後部フラップＷＢ、ＷＢが形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００３０】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３１】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３２】
〔吸収体〕
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、３００〜７５０ｇ／ｍ２、好ましくは３００〜４００ｇ／ｍ２とするのがよい。
【００３３】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３４】
前記吸収体４は、着用者の体液排出部Ｈを含む領域に配設された本体吸収体１０と、前記後部フラップＷＢに配設されたフラップ吸収体１１とを備えている。前記本体吸収体１０は、前記吸収体４のうち、体液排出部Ｈにおける吸収体幅で吸収体４の前端から後端に亘ってほぼ等幅に形成された部分である。一方、前記フラップ吸収体１１は、前記吸収体４のうち、生理用ナプキン１の後部両側部において、前記本体吸収体１０より側方に延出する部分である。
【００３５】
本生理用ナプキン１では、図１及び図３に示されるように、前記本体吸収体１０とフラップ吸収体１１とが連続する一体の吸収体によって構成されている。つまり、前記本体吸収体１０とフラップ吸収体１１とは分離していない一つの吸収体によって構成され、前記フラップ吸収体１１の幅方向内側が生理用ナプキン１の長手方向の全長に亘って前記本体吸収体１０と接続している。これらの境界は必ずしも明確である必要はないが、ほぼ体液排出部Ｈにおける吸収体幅で生理用ナプキン１の長手方向に延びる部分を本体吸収体１０と定義し、後部両側部において両側に延出する部分をフラップ吸収体１１と定義することができる。
【００３６】
図１及び図３に示されるように、前記フラップ吸収体１１と本体吸収体１０とに跨る領域の肌側面に、非肌側に窪ませた圧搾溝１２、１２…が、前記フラップ吸収体１１から本体吸収体１０に向けて後方に傾斜する方向に延びるとともに、生理用ナプキン１の長手方向に間隔を空けて複数形成されている。前記圧搾溝１２は、フラップ吸収体１１に吸収された体液を、該圧搾溝１２に沿って本体吸収体１０に移行するためのものである。
【００３７】
前記圧搾溝１２は、吸収体４の肌側面からの圧搾により吸収体４のみを窪ませて形成してもよいし、図３に示されるように、被包シート５によって囲繞された吸収体４の前記被包シート５の肌側面からの圧搾により、被包シート５及び吸収体４を一体的に窪ませて形成してもよい。少なくとも、前記透液性表面シート３及びギャザー不織布７が前記圧搾溝１２の空間を保持しながら圧搾溝１２を覆うように設けられていればよい。
【００３８】
前記圧搾溝１２は左右対で設けられ、左右の圧搾溝１２、１２が生理用ナプキン１の幅方向中央部に所定の離隔幅Ａを有するように配置されている。前記離隔幅Ａとしては、これらの圧搾溝１２を伝って流れた体液が中央部に集中するのを避けるため、３５〜６０ｍｍとするのがよい。
【００３９】
前記圧搾溝１２は、左右にそれぞれ生理用ナプキン１の長手方向に間隔を空けて複数本ずつ設けられている。ナプキン長手方向に配置する数としては、２〜５本が好ましく、図示例では３本設けられている。ナプキン長手方向に隣り合う圧搾溝１２、１２のナプキン長手方向の間隔Ｂは、１０〜３０ｍｍとするのがよい。この間隔Ｂは、各部で均等でもよいし、フラップ吸収体１１に吸収される体液の量が前側の方が後側より多いことを考慮して、相対的に前側が小さく、後側が大きくなるようにしてもよい。
【００４０】
前記圧搾溝１２は、図１に示されるように、生理用ナプキン１の長手方向線Ｌに対して中心線が所定の角度αで傾斜して形成されている。前記角度αとしては、１５〜６０°とするのが好ましい。ナプキン長手方向に配置された複数の圧搾溝１２、１２…について前記角度αをほぼ同一に形成することにより複数の圧搾溝１２、１２…が平行に配置されるようにするのが好ましいが、フラップ吸収体１１に吸収された体液を本体吸収体１０の後方に液移行させることにより、本体吸収体１０の後方部分を有効利用するため、前側寄りに配置された圧搾溝１２の方が角度αが小さくなるようにしてもよい。
【００４１】
前記圧搾溝１２は、図１に示される例では、溝幅が全長に亘ってほぼ等幅の連続する直線によって形成されているが、これに限るものではない。圧搾溝１２の平面形状の変形例については後段で詳述する。
【００４２】
前記圧搾溝１２は、吸収体４の幅方向及び長手方向の中間部分、すなわち吸収体の外縁に達しない領域に形成されている。前記圧搾溝１２のナプキン幅方向外側の端縁１２ａは、フラップ吸収体１１に位置するとともに、フラップ吸収体１１の外方側の側縁より幅方向内側（ナプキン長手方向中心線ＣＬ側）に位置している。
【００４３】
前記圧搾溝１２のナプキン幅方向外側の端縁と、フラップ吸収体１１の側縁との最小離隔距離Ｃは、圧搾溝１２に沿って拡散した体液がフラップ吸収体１１の側縁から漏れるのを防止するため、５ｍｍ以上、好ましくは１０〜２０ｍｍとするのがよい。図１〜図３に示されるように、肌側に突出する左右一対の立体ギャザーＢＳ、ＢＳが形成される生理用ナプキン１において、前記圧搾溝１２のナプキン幅方向外側の端縁１２ａは、生理用ナプキン１の前後端部で前記立体ギャザーＢＳを形成するサイド不織布７が折り畳まれた状態で吸収体４側に接着された部分７ａより、ナプキン幅方向外側に位置するのが好ましい。後段で詳述するように、この部分のサイド不織布７に通液用の開孔１３が施されるため、この開孔１３を通過した体液が圧搾溝１２の溝内に入り込んで圧搾溝１２の表面を流れやすくなる。
【００４４】
一方、圧搾溝１２のナプキン幅方向内側の端縁１２ｂは、本体吸収体１０に位置するとともに、ナプキン長手方向中心線ＣＬに達しない領域に位置している。より具体的には、肌側に突出する左右一対の立体ギャザーＢＳ、ＢＳが形成される生理用ナプキン１において、前記圧搾溝１２のナプキン幅方向内側の端縁１２ｂは、生理用ナプキン１の前後端部で前記立体ギャザーＢＳを形成するサイド不織布７が折り畳まれた状態で吸収体４側に接着された部分７ａより、ナプキン幅方向内側に位置するのが好ましい。
【００４５】
〔サイド不織布〕
前記透液性表面シート３の幅寸法は、図２の横断面図に示されるように、本体吸収体１０の幅寸法よりも若干長めとされ、体液排出部Ｈを含むナプキン長手方向の所定の区間内において本体吸収体１０を覆うだけに止まるとともに、前記フラップ吸収体１１が配設された後部区間において前記フラップ吸収体１１の内側を若干覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。
【００４６】
かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００４７】
前記サイド不織布７は、図２及び図３に示されるように、幅方向中間部より外側部分を所定の内側位置から不透液性裏面シート２の外縁までの範囲に亘ってホットメルトなどの接着剤によって接着し、所定の位置に所定のフラップ部が形成されている。このフラップ部は、ほぼ体液排出部Ｈに対応する部分の両側部に左右一対のウイング状フラップＷ、Ｗを形成するとともに、これより後部側（臀部側）の後部両側部に後部フラップＷＢ、ＷＢを形成している。これらウイング状フラップＷ、Ｗおよび後部フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記後部フラップＷＢをショーツの内面に止着するようになっている。
【００４８】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、少なくとも体液排出部Ｈを含むナプキン長手方向の所定の区間内において、図２に示されるように、外側に傾斜しながら肌側に起立する直線状の立体ギャザーＢＳ、ＢＳが左右一対で形成されている。
【００４９】
前記サイド不織布７は、前記フラップ吸収体１１が配設された後部両側部において、前記フラップ吸収体１１の肌側を覆っている。前記立体ギャザーＢＳを形成する部分又はナプキン長手方向の前後端部で前記立体ギャザーＢＳを形成する部分が折り返して積層された状態で吸収体４側に接着された部分７ａは、前記本体吸収体１０とフラップ吸収体１１との境界部に、これら本体吸収体１０及びフラップ吸収体１１に跨るように設けられ、これより外方側には、サイド不織布７の一重シート部分が延在している。
【００５０】
前記サイド不織布７には、前記フラップ吸収体１１と重なる領域に、表裏を貫通する多数の開孔１３、１３…が形成されている。前記開孔１３は、前記フラップ吸収体１１と厚み方向に重なる領域のみに形成され、それ以外の領域には形成されていない。また、前記開孔１３は、前記立体ギャザーＢＳを形成するサイド不織布７が折り返して積層された状態で吸収体４側に接着された部分７ａより幅方向外側に配置されたサイド不織布７の一重シート部分に形成されている。
【００５１】
前記開孔１３は、生理用ナプキン１の長手方向及び幅方向に沿って正格子状又は千鳥格子状に多数配置するのが好ましい。前記開孔１３が設けられた領域の開孔率は、通液性を良好にするとともに、開孔１３を通じた逆戻りを防止するため、１０〜３０％であるのが好ましい。
【００５２】
前記開孔１３の平面形状としては、図１に示される例は円形であるが、楕円形や多角形など、通液性が確保されていれば任意の形状で形成できる。１つ当たりの大きさ（面積）は、通液性を良好にするため、０．５〜２５ｍｍ２であるのがよい。
【００５３】
次に、以上の構成からなる本生理用ナプキン１の作用効果について説明する。本生理用ナプキン１では、上述の通り、前記本体吸収体１０とフラップ吸収体１１とが連続する一体の吸収体４によって構成されているため、フラップ吸収体１１に吸収された体液が本体吸収体１０に移行しやすく、フラップ吸収体１１が容量オーバーになることがなく、臀部側の吸収量が増加できる。すなわち、フラップ吸収体１１に吸収された体液は、吸収体の内部を拡散することによって、これに連続する本体吸収体１０に素早く移行でき、フラップ吸収体１１に体液が溜まりにくい構造であるため、フラップ吸収体１１の吸収能力が向上できる。
【００５４】
また、本生理用ナプキン１では、上述の通り、フラップ吸収体１１の肌側を覆うサイド不織布７に多数の開孔１３、１３…が形成されているため、図４及び図５に示されるように、立体ギャザーＢＳを越えて外側に流れた体液が、前記開孔１３を通過してフラップ吸収体１１に吸収され、臀部側からの後漏れが防止できる。図４に示されるように、一度に大量の体液が排出された場合などにおいて、体液が肌面を伝うなどして、立体ギャザーＢＳ又はこの立体ギャザーＢＳを形成するサイド不織布７が折り返して積層された状態で吸収体４側に接着された部分７ａを越えて外側に流れる場合があるが、この場合でも、前記開孔１３を通過して体液がフラップ吸収体１１に吸収されるため、生理用ナプキン１の外側に漏れ出る可能性が大幅に低減できる。
【００５５】
また、本生理用ナプキン１では、上述の通り、前記フラップ吸収体１１と本体吸収体１０とに跨る領域の肌側面に、非肌側に窪ませた圧搾溝１２が、所定の方向に延びるとともに、生理用ナプキン１の長手方向に間隔を空けて複数形成されているため、前記開孔１３を通過した体液が前記圧搾溝１２に沿ってフラップ吸収体１１から本体吸収体１１に向けて液移行しやすくなり、フラップ吸収体１１に体液が溜まりにくいため、臀部側の吸収量が増加できるとともに、臀部側からの後漏れが防止できるようになる。
【００５６】
更に、前記圧搾溝１２が、前記フラップ吸収体１１から本体吸収体１０に向けて後方に傾斜して形成されているため、前記圧搾溝１２に沿って移行する体液が、体液排出部Ｈ及びその近傍で吸収された体液の拡散領域の影響を受けにくい本体吸収体１１の後方領域に向けて液移行するようになる。本生理用ナプキン１のような夜用の生理用ナプキンにおいては、装着時における着用者の姿勢として臥位が多いため、体液排出部Ｈ及びその近傍で吸収された体液が重力によって後方に拡散しやすい傾向にある。したがって、この領域の吸収容量を確保しておかなければならないため、フラップ吸収体１１から本体吸収体１０に移行させるのは、体液排出部Ｈからの拡散領域にできる限り影響が少ない本体吸収体１０の後方領域とするのが、本体吸収体の広い範囲を体液吸収用として有効利用する点、及び体液の漏れを防止する点から望ましい。
【００５７】
以下、上記生理用ナプキン１の変形例について説明する。前記圧搾溝１２は、図１では連続して圧搾した連続的な凹溝によって形成されているが、図６に示されるように、圧搾部１２ａと非圧搾部１２ｂとを交互に配置した間欠的に形成してもよい。前記圧搾溝１２を連続して形成した場合には、フラップ吸収体１１から本体吸収体１０に向けての液移行がしやすくなる。一方、間欠的に形成した場合には、非圧搾部１２ｂの存在により吸収体が変形しやすくなり、装着時に生理用ナプキン１の後部を臀部の形状に沿ってフィットしやすくなる。なお、間欠的とした場合にも、非圧搾部１２ｂは、これに隣接する圧搾部１２ａの圧搾の影響を受けて窪むため、全体的な圧搾溝１２に沿った体液の流れは確保できる。間欠的に形成するパターンとしては、図６に示されるように、(A)点線、(B)１列のドット、(C)複数列のドットなどを例示することができる。
【００５８】
図７に示されるように、前記圧搾溝１２は、前記フラップ吸収体１１から本体吸収体１０に向けて徐々に溝幅が小さくなる平面形状で形成してもよい。すなわち、フラップ吸収体１１における溝幅が相対的に大きく形成され、幅方向内側に向けて徐々に溝幅が小さくなっている。前記圧搾溝１２の平面形状としては、三角形又は台形とすることができる。これにより、フラップ吸収体１１における溝幅が相対的に大きいため、前記開孔１３を通過した体液が圧搾溝１２の溝内に流入する割合が増え、圧搾溝１２の表面を流れて本体吸収体１０に液移行されやすくなる。また、本体吸収体１０に向かうに従って圧搾溝１２の溝幅が小さく形成されているため、この圧搾溝１２の溝内を流れる体液が側壁に接触する機会が増加し、側壁から吸収体４内に効率よく吸収されるようになる。更に、前記圧搾溝１２を加工する際、同じ高さのエンボス凸部によって同じ力で圧搾した場合、エンボス凸部先端の面積が小さな内側部分の方が、エンボス凸部先端の面積が大きな外側部分より圧力（単位面積当たりの力）が大きくなる。このため、圧搾溝１２の溝幅が小さな内側部分では、吸収体４を大きな圧力で圧搾でき、吸収体４の復元力によるエンボス加工後の戻りが少なく、エンボス加工による溝深さを深く保持することができるのに対して、圧搾溝１２の溝幅が大きな外側部分では、圧力が小さいため、エンボス加工後の吸収体４の復元力によって溝深さが若干浅くなる。これによって、圧搾溝１２底部の吸収体の密度が、溝幅が小さな内側部分が相対的に密で、溝幅が大きな外側部分が相対的に疎となる密度勾配が設けられるため、この吸収体内部を拡散する体液の毛管作用により、密度が相対的に密な内側に拡散しやすくなるという効果も奏されるようになる。
【００５９】
図８に示されるように、前記圧搾溝１２は、フラップ吸収体１１から本体吸収体１０に向けて徐々に溝深さが深くなるように形成してもよい。つまり、前記圧搾溝１２を加工する際、エンボス凸部の高さが、本体吸収体１０側の方がフラップ吸収体１１側より高く形成されたものを用いてもよい。これによって、フラップ吸収体１１から本体吸収体１０に向けて吸収体４の密度が徐々に高くなる密度勾配が設けられ、毛管作用によってフラップ吸収体１１から本体吸収体１０に向けて液移行しやすくなる。溝深さの変化の割合としては、本体吸収体１０側の最大溝深さに対して、フラップ吸収体１１側の溝深さは、１０％〜８０％、好ましくは２０％〜５０％とするのがよい。
【００６０】
図９に示されるように、前記開孔１３の平面形状は、フラップ吸収体１１から本体吸収体１０に向けて後方に傾斜する方向に長い略楕円形としてもよい。すなわち、略楕円形の長軸方向が、フラップ吸収体１１から本体吸収体１０に向けて後方に傾斜する方向に延びている。体液が開孔１３を通過する際、体液が開孔１３の形状に変形しながら通液するため、楕円形の長軸方向に沿って拡散しやすくなる。この開孔１３の長軸方向は、前記圧搾溝１２が延びる方向と同様に、フラップ吸収体１１から本体吸収体１０に向けて後方に傾斜する方向であるため、この圧搾溝１２の延びる方向に更に液拡散が生じやすくなる。
【００６１】
このとき、図９に示されるように、前記開孔１３の長軸方向と圧搾溝１２の延びる方向とがほぼ一致するように形成するのが望ましい。これにより、開孔１３によって楕円形の長軸方向に拡散しやすくなった体液を、前記圧搾溝１２の延びる方向に更に拡散しやすくなる。
【００６２】
〔他の形態例〕
上記形態例では、フラップ吸収体１１の肌側にサイド不織布７が配設されていたが、前記サイド不織布７を配設せずに、透液性表面シート３を生理用ナプキン１の外縁まで延在させ、前記透液性表面シート３の所定の領域に前記開孔１３を設けるようにしてもよい。
【符号の説明】
【００６３】
１…生理用ナプキン、２…不透液性裏面シート、３…透液性表面シート、４…吸収体、５…被包シート、７…サイド不織布、１０…本体吸収体、１１…フラップ吸収体、１２…圧搾溝、１３…開孔
【図１】
2019118406.tif 000003
【図２】
2019118406.tif 000004
【図３】
2019118406.tif 000005
【図４】
2019118406.tif 000006
【図５】
2019118406.tif 000007
【図６】
2019118406.tif 000008
【図７】
2019118406.tif 000009
【図８】
2019118406.tif 000010
【図９】
2019118406.tif 000011